【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
列車の運行に関する情報を端末に提供する列車運行情報提供システムであって、
運行情報を生成する運行情報生成部と、
前記運行情報から所定の画面情報を生成し、前記端末に表示させる画面制御部と、
前記端末と通信するための通信部を備え、
前記画面制御部は、
在線状況を表示する在線画面と、列車の到着時刻および到着番線に関する情報を含む駅情報を表示する駅情報画面と、列車の運行時刻表に関する情報を含む列車情報を表示する列車情報画面との中からいずれか一つの画面を、ユーザの操作に応じて前記端末に表示させるようになっており、
前記在線画面は、対象の路線上に存在する各駅を象徴する駅アイコンと、前記対象の路線を一方向および他方向に走行する列車を象徴する列車アイコンとを含んで構成されており、
前記在線画面に表示される複数の前記駅アイコンのうちいずれか一つの駅アイコンを対象駅アイコンとしてユーザが選択した場合、前記対象駅アイコンに関する前記駅情報画面に切り替えて表示させ、
前記在線画面に表示される複数の列車アイコンのうちいずれか一つの列車アイコンを対象列車アイコンとしてユーザが選択した場合、前記対象列車アイコンに関する前記列車情報画面に切り替えて表示させる、
列車運行情報提供システム。
【請求項２】
前記画面制御部は、
前記端末の画面の長手方向に延びて表示される、路線を象徴する路線バーと、
前記路線バーの中間領域に表示される前記対象駅アイコンと、
前記端末の画面上に、前記路線バーを挟むようにして前記路線バーの両側に形成される第１領域および第２領域と、
前記第１領域に位置し、前記対象駅アイコンに到着する順番に従って前記路線バーに並んで表示される一方の列車アイコン群であって、前記一方向に向かう一方の列車アイコン群と、
前記第２領域に位置し、前記対象駅アイコンに到着する順番に従って前記路線バーに並んで表示される他方の列車アイコン群であって、前記他方向に向かう他方の列車アイコン群と、
前記第２領域のうち前記路線バーを挟んで前記一方の列車アイコン群に対向する領域に表示される一方の属性情報表示部であって、前記一方の列車アイコン群に関する属性情報を表示する一方の属性情報表示部と、
前記第１領域のうち前記路線バーを挟んで前記他方の列車アイコン群に対向する領域に表示される他方の属性情報表示部であって、前記他方の列車アイコン群に関する属性情報を表示する他方の属性情報表示部と、を含むようにして、
前記駅情報画面を生成する、
請求項１に記載の列車運行情報提供システム。
【請求項３】
前記画面制御部は、
前記路線バーと、
前記路線バーから離間して当該路線バーと平行に配置される駅アイコン群と、
前記対象列車アイコンが前記路線バーの両端のいずれかの端部に位置して配置され、前記対象列車アイコンの示す列車が前記駅アイコン群の示す駅に到着する様子を象徴する列車アイコン群と、
前記列車アイコン群と前記路線バーを挟んで対向するようにして表示される所定情報表示部であって、前記列車アイコン群に関する所定情報を表示する所定情報表示部と、を含むようにして、
前記列車情報画面を生成する、
請求項２に記載の列車運行情報提供システム。
【請求項４】
前記画面制御部は、前記在線画面のうち背景部をユーザが選択した場合、前記在線画面に表示された前記列車アイコンに対応する列車についてのダイヤ図を、前記列車アイコンの位置に対応付けて前記背景部に表示する、
請求項１〜３のいずれかに記載の列車運行情報提供システム。
【請求項５】
前記背景部に前記ダイヤ図が表示された状態で、ユーザが列車アイコンを対象列車アイコンとして選択した場合、前記対象列車アイコンの表示位置を固定し、前記対象列車アイコンの象徴する列車についてのダイヤ線を強調表示する、
請求項４に記載の列車運行情報提供システム。
【請求項６】
前記対象列車アイコンの表示位置を固定した状態で、ユーザが前記ダイヤ図を前記路線バーと画面上でに直交する時間軸に沿ってスワイプ操作した場合、前記スワイプ操作に応じた時間変化量だけ前記駅アイコンおよび前記ダイヤ図を更新する、
請求項５に記載の列車運行情報提供システム。
【請求項７】
前記端末の種類として第１端末と第２端末とがあり、
前記画面制御部は、端末の種類に応じて前記在線画面、前記駅情報画面、前記列車情報画面の表示内容を変更する、
請求項６に記載の列車運行情報提供システム。
【請求項８】
列車の運行に関する情報を端末に提供する列車運行情報提供方法であって、
前記端末は、在線状況を表示する在線画面と、列車の到着時刻および到着番線に関する情報を含む駅情報を表示する駅情報画面と、列車の運行時刻表に関する情報を含む列車情報を表示する列車情報画面との中からいずれか一つの画面を、ユーザの操作に応じて表示させるようになっており、
前記在線画面は、対象の路線上に存在する各駅を象徴する駅アイコンと、前記対象の路線を一方向および他方向に走行する列車を象徴する列車アイコンとを含んで構成されており、
前記在線画面に表示される複数の前記駅アイコンのうちいずれか一つの駅アイコンを対象駅アイコンとしてユーザが選択した場合、前記対象駅アイコンに関する前記駅情報画面に切り替えて表示させ、
前記在線画面に表示される複数の列車アイコンのうちいずれか一つの列車アイコンを対象列車アイコンとしてユーザが選択した場合、前記対象列車アイコンに関する前記列車情報画面に切り替えて表示させる、
列車運行情報提供方法。
【請求項９】
列車の運行に関する情報を端末に提供する列車運行情報提供システムであって、
列車の運行情報から、画面に表示させる画面情報を生成する画面制御部を備え、
前記画面制御部は、
前記駅アイコンが選択された場合表示する、当該駅アイコンにかかる駅の列車の発着時刻を含む駅情報画面と、
前記列車アイコンが選択された場合に表示する、当該列車アイコンにかかる列車の、各駅に対する発着時刻を含む列車情報画面と、
在線ダイヤ画面と、
を前記画面情報として作成し、
前記在線ダイヤ画面は、
時間軸と、
前記時間軸に交差し、時間軸における特定の時間を示す路線バーと、
当該路線バーの方向に順に並んで配置され、前記駅情報画面への遷移のアイコンとなる駅アイコンと、
時間軸の時間における路線バー方向の列車の位置を前記駅アイコンに対応させて示す複数のダイヤ線を有するダイヤ図と、
前記路線バーが示す時刻における路線バー方向の列車の位置を、前記駅アイコンに対応させて進行方向とともに示すとともに、前記列車情報画面への遷移のアイコンとなる列車アイコンと、
を含む
ことを特徴とする列車情報提供システム。
【請求項１０】
前記在線ダイヤ画面では、前記列車アイコンと、当該列車アイコンに対応するダイヤ線とを一緒に強調表示すること
を特徴とする請求項９に記載の列車情報提供システム。
【請求項１１】
列車の運行に関する情報を端末に提供する列車運行情報提供方法であって、
列車の運行情報から、画面に表示させる画面情報を生成する画面制御部は、
前記駅アイコンが選択された場合表示する、当該駅アイコンにかかる駅の列車の発着時刻を含む駅情報画面と、
前記列車アイコンが選択された場合に表示する、当該列車アイコンにかかる列車の、各駅に対する発着時刻を含む列車情報画面と、
在線ダイヤ画面と、
を前記画面情報として作成し、
前記在線ダイヤ画面は、
時間軸と、
前記時間軸に交差し、時間軸における特定の時間を示す路線バーと、
当該路線バーの方向に順に並んで配置され、前記駅情報画面への遷移のアイコンとなる駅アイコンと、
時間軸の時間における路線バー方向の列車の位置を前記駅アイコンに対応させて示す複数のダイヤ線を有するダイヤ図と、
前記路線バーが示す時刻における路線バー方向の列車の位置を、前記駅アイコンに対応させて進行方向とともに示すとともに、前記列車情報画面への遷移のアイコンとなる列車アイコンと、
を含む
ことを特徴とする列車情報提供方法。